(57)【要約】【課題】端や角の部分が使用していくうちに減ってしまった棒状化粧料をユーザがわざわざ削って再び端や角を再生させる必要がなく、常に細い線が描ける部分を有すると共に、芯径の太い折れにくい棒状化粧料を格納することができる棒状化粧料繰出容器を提供することを目的とする。【解決手段】容器先端側から見て一辺が略同一の長さを有する多角形状の開口部５を先端に備える棒状化粧料繰出容器１００であって、横断面形状の一辺が略同一の長さを有する多角形状の棒状化粧料６を内蔵すると共に使用者の操作に従って棒状化粧料６が進退され、開口部５から棒状化粧料６を出没させることを可能とし、開口部６の縁は山部５ａと谷部５ｂとを交互に形成しており、山部５ａは、山部５ａの頂きが開口部５の前方先端方向に突き出すように形成され、谷部５ｂは、開口部５の前方先端方向とは逆方向の、山部５ａの頂きよりも後方に凹み形状となるように形成されている。【選択図】図４
0003151931.tif 000002
【実用新案登録請求の範囲】
【請求項１】
容器先端側から見て一辺が略同一の長さを有する多角形状の開口部を先端に備える棒状化粧料繰出容器であって、
横断面形状の一辺が略同一の長さを有する多角形状の棒状化粧料を内蔵すると共に使用者の操作に従って該棒状化粧料が進退され、前記開口部から該棒状化粧料を出没させることを可能とし、
前記開口部の縁は山部と谷部とを交互に形成しており、
前記山部は、該山部の頂きが前記開口部の前方先端方向に突き出すように形成され、
前記谷部は、前記開口部の前方先端方向とは逆方向の、前記山部の頂きよりも後方に凹み形状となるように形成されていることを特徴とする棒状化粧料繰出容器。
【請求項２】
前記開口部は容器先端側から見て三角形状、又は、四角形状、又は、星型形状、又は、十字型形状であって、
横断面形状が前記開口部の形状に応じた三角形状、又は、四角形状、又は、星型形状、又は、十字型形状である前記棒状化粧料を内蔵することを特徴とする請求項１に記載の棒状化粧料繰出容器。
【考案の詳細な説明】
【技術分野】
【０００１】
本考案は、細い線を描くために、ユーザがわざわざ先端を削らなくても常に細い線が書ける部分を有することが可能な棒状化粧料を格納する棒状化粧料繰出容器に関する。
【背景技術】
【０００２】
従来の棒状化粧料繰出容器には、以下の特許文献１に示されるような横断面が円形断面となっている芯材や、特許文献２に示されるような横断面が長方形の形状をしている芯材が多く用いられている。
【先行技術文献】
【特許文献】
【０００３】
【特許文献１】特開平１１−７５９３４号公報
【特許文献２】特開２００８−３６０７１号公報
【考案の概要】
【考案が解決しようとする課題】
【０００４】
この、特許文献１や特許文献２に記載の棒状化粧料は横断面が円形又は長方形であることから、例えば細い線を描く場合、芯材の端や角の部分を用いて描くことになるので、ある程度の太さの線幅になってしまっていた。
【０００５】
また、鋭角な角や、特許文献１、特許文献２に記載の棒状化粧料よりも幅の狭い端を持つ棒状化粧料を使用して細い線を描く場合、円形又は長方形の棒状化粧料の端や角を使用するよりも細い線を描くことができるが、使用した部分は摩耗していき、端や角がなくなってしまう。そして、当初の端や角の形状を取り戻す為にはナイフやシャープナー等で削るなどするしかなく、その手間は煩雑なものがあった。
【０００６】
さらにまた、細い線を描く為の棒状化粧料としては、芯径の細い芯材も考えられるが、芯径が細ければその分折れやすくなる欠点があった。
【０００７】
そこで、本考案は、上述した課題を解決する為に、端や角の部分が使用していくうちに減ってしまった棒状化粧料をユーザがわざわざ削って再び端や角を再生させる必要がなく、常に細い線が描ける部分を有すると共に、芯径の太い折れにくい棒状化粧料を格納することができる棒状化粧料繰出容器を提供することを目的とする。
【課題を解決するための手段】
【０００８】
本考案の棒状化粧料繰出容器としては、容器先端側から見て一辺が略同一の長さを有する多角形状の開口部を先端に備える棒状化粧料繰出容器であって、横断面形状の一辺が略同一の長さを有する多角形状の棒状化粧料を内蔵すると共に使用者の操作に従って棒状化粧料が進退され、開口部から棒状化粧料を出没させることを可能とし、開口部の縁は山部と谷部とを交互に形成しており、山部は、山部の頂きが開口部の前方先端方向に突き出すように形成され、谷部は、開口部の前方先端方向とは逆方向の、山部の頂きよりも後方に凹み形状となるように形成されていることを特徴としている。
【０００９】
また、開口部は容器先端側から見て三角形状、又は、四角形状、又は、星型形状、又は、十字型形状であって、横断面形状が開口部の形状に応じた三角形状、又は、四角形状、又は、星型形状、又は、十字型形状である棒状化粧料を内蔵することを特徴としている。
【００１０】
本考案をこのような構成とすることで、常に細い線を描くことが出来る部分を有することが可能であり、さらに芯径の太い棒状化粧料を内蔵する棒状化粧料繰出容器となる。
【考案の効果】
【００１１】
ユーザは多角形状の棒状化粧料の端や角の部分を使用することで細い線を描くことができ、棒状化粧料の多角形の端や角を順に使用していくことで、棒状化粧料の横断面の中央部近傍に自然と細い線を描くことができる突出部が形作られることになる。そして、この突出部を使用していくことで、棒状化粧料の当初の形状、つまり横断面形状が当初の多角形状となる。また、細い線を描く為に芯径を細くする必要もなくなるため、芯径を太くすることができる。
つまり、ユーザは、細い線を描く為に丸くなった端や角をナイフやシャープナー等で削る必要がなく、また、芯径を太くすることができるので芯は折れにくいものになる。
【図面の簡単な説明】
【００１２】
【図１】本考案の実施例に係る棒状化粧料繰出容器の外観図である
【図２】実施例の棒状化粧料繰出容器の縦断面図である
【図３】実施例の棒状化粧料繰出容器から三角形状の棒状化粧料が繰り出されている図である
【図４】実施例の棒状化粧料繰出容器のキャップをはずした斜視図と棒状化粧料繰出容器を先端側から見たときの図である
【図５】実施例の棒状化粧料繰出容器が収容する棒状化粧料を使用した際の棒状化粧料の態様を示した図である
【図６】実施例の棒状化粧料繰出容器が収容する棒状化粧料が有する各角を使用した際の棒状化粧料の態様を示した図である
【図７】変形例の棒状化粧料繰出容器から星型形状の棒状化粧料が繰り出されている図である
【図８】変形例の棒状化粧料繰出容器から十字型形状の棒状化粧料が繰り出されている図である
【考案を実施するための形態】
【００１３】
以下、添付図面を参照して、本考案の実施形態について詳細に説明する。なお、同一又は相当要素には同一符号を付して重複する説明は省略する。
【００１４】
図１は、棒状化粧料繰出容器の外観全体図、図２、図３は、棒状化粧料繰出容器の縦断面図、図４は、棒状化粧料繰出容器の斜視図と棒状化粧料繰出容器を先端側から見た図、図５、図６は、棒状化粧料を使用したときの態様を示した図、図７、図８は、各変形例の棒状化粧料繰出容器の斜視図とその棒状化粧料繰出容器を先端側から見た図であり、本実施形態の棒状化粧料繰出容器は、例えばアイライナー、アイブロー等の棒状化粧料を収容し、ユーザが必要に応じて適宜出没可能とするものである。
【００１５】
棒状化粧料繰出容器１００は、図１〜図４に示すように、全体形状が筆記具の如き細長い丸棒状（スティック状）をなし良好な外観を呈するもので、円筒状の本体筒２と、その本体筒２の後端部に回転自在且つ軸線方向移動不能に連結された有底円筒状の操作筒３と、本体筒２の前端部に備えられる先筒４を覆うように本体筒２に着脱可能に備えられるキャップ１と、を外形構成として具備し、この本体筒２及び操作筒３内には、棒状化粧料６、棒状化粧料支持体７、螺子筒８、Ｏリング９、圧縮バネ１０を収容してなるものである。
なお、本実施形態では棒状化粧料繰出容器１００の外形構成の全体形状を丸棒状として説明するが、丸棒状以外のスティック状の形状としてもよい。
【００１６】
本体筒２は、図２〜６に示すように前端部に先筒４を備え、この先筒４はその先端（本体筒２の先端）に向かって先細り形状となっている。さらに先筒４の先端部分（棒状化粧料繰出容器１００の先端）は開口されており、その開口部分を図２〜６に示すように開口部５としている。
【００１７】
開口部５は、本体筒２の先端側から見た場合、一辺が略同一の長さを有する多角形状となっており、本実施形態では図４（ｂ）に示すように、三角形状としている。そして、開口部５の縁は、図４（ａ）に示すように、山部５ａと谷部５ｂとが交互に備えられており、この山部５ａはその頂きが開口部５の前方先端方向（先筒４の先端方向）に突き出すように形成され、谷部５ｂは、開口部５の前方先端方向とは逆方向（先筒４の後端方向）の、山部５ａの頂きよりも後方に凹み形状となるように形成されている。そして、この山部５ａと谷部５ｂとをその縁に備える開口部５より、棒状化粧料支持体７に支持された棒状化粧料６が繰り出されることになる。
【００１８】
なお、図示するように山部５ａの頂きと、谷部５ｂの凹み形状は流線形形状となっているが、必ずしも流線形形状とする必要はなく、鋭角な形状でもよいし、平坦な形状でもよいし、なんでもよい。
【００１９】
棒状化粧料支持体７は、図２、図３に示すように、その前部に支持片７ａを有し、後部に軸体部７ｂを有している。この支持片７ａは、本考案の多角形状の棒状化粧料６を把持することが可能な形状となっており、本実施形態においては図２、図３に示すように三角形状の棒状化粧料６を把持している。また、軸体部７ｂは螺子筒８の内側に位置され、軸体部７ｂの外周に備えられる雄螺子７ｃと、螺子筒８の先端側に備えられる螺合突起８ａとが係合して螺合状態となり、螺合機構を構成するものである。
【００２０】
そして、この螺子筒８の後端は、本体筒２の後端に連結された操作筒３内に同期回転可能で軸線方向移動可能に挿入されており、操作筒３と本体筒２とを相対回転させるに伴い、螺子筒８と操作筒３とが同期回転することになる。そうすることで螺合突起８ａと雄螺子７ｃとの螺合機構が働き、棒状化粧料支持体７が進退し、支持片７ａに支持される棒状化粧料６も棒状化粧料支持体７と一緒に進退するものである。なお、螺子筒８は後述する圧縮バネ１０によって操作筒３へ押しつけられるので、実質的に螺子筒８は操作筒３内に軸線方向移動不可能に挿入されていることになる。
【００２１】
また、ユーザが本体筒２と操作筒３とを相対回転させるとき、良好な回転抵抗を与えるための部材としてＯリング９が、図２、図３に示すように、本体筒２の後端部の内周面と操作筒３の本体筒２の後端部と連結している外周面との間に装着されている。
【００２２】
また、上述した螺子筒８には、図２、図３に示すように、螺子筒８の円周方向に鍔部８ｂが備えられており、この鍔部８ｂの後面は、螺子筒８内に挿入されている操作筒３の先端面と接触している。さらに鍔部８ｂの前面と、図２、図３に示す本体筒２の段差面２ａとの間には圧縮バネ１０が配置されており、この圧縮バネ１０は、操作筒３内に同期回転可能に挿入されている螺子筒８の鍔部８ｂを、常時、操作筒３の先端面に押しつけるものである。つまり、この圧縮バネ１０により螺子筒８は操作筒３内に軸線方向移動不可能に挿入されていることになる。
【００２３】
棒状化粧料６は、図４に示すように、横断面形状の一辺が略同一の長さを有する三角形状となっており、開口部５においても本体筒２の先端（棒状化粧料繰出容器１００の先端）から見て棒状化粧料６と同様に、一辺が略同一の長さを有する三角形状となっている。なお、この開口部５の形状は、本体筒２に収容する棒状化粧料６の横断面形状に対応して形状を変形させるようにするものであり、この開口部５の形状の変化に併せて、開口部５に備えられる山部５ａ、谷部５ｂの形状も変形されるものである。
【００２４】
このような構成の棒状化粧料繰出容器１００においては、ユーザが本体筒２と操作筒３とを相対回転させることで、先筒４の開口部５より棒状化粧料６が繰り出され、また、繰り戻されることになる。
【００２５】
ここで、上述した開口部５の山部５ａと谷部５ｂの形状を更に詳しく説明すると、まず山部５ａの形状としては、図４（ａ）に示すように、横断面が三角形状の棒状化粧料６の各辺に対応した位置に先筒４の先端方向へせりだす形状となっている。また、谷部５ｂの形状としては、三角形状の棒状化粧料６の各頂点（角）に対応した位置に先筒４の後端方向へ凹んでいる形状となっている。
【００２６】
開口部５にこのような形状の山部５ａと谷部５ｂを備えることで、図５に示すように棒状化粧料６の各角を使用する場合、谷部５ｂを上述してきたような形状とすることで、開口部５に山部５ａと谷部５ｂが備えられておらず、棒状化粧料６の三角形状の各辺と各角が同じ長さだけ開口部５より突出している場合に比べて、各角をより多く使用することができる。
【００２７】
図５（ａ）（ｂ）（ｃ）（ｄ）には、三角形状の棒状化粧料６の３つの角を順次使用していった場合の棒状化粧料６の態様を示している。つまり、図５（ａ）は棒状化粧料６が開口部５から所定の長さ繰り出されている態様を、図５（ｂ）は繰り出された棒状化粧料６の一つ目の角を使用した態様を、図５（ｃ）は繰り出された棒状化粧料６の二つ目の角を使用した態様を、図５（ｄ）は繰り出された棒状化粧料６の三つ目の角を使用した態様をそれぞれ示している。
【００２８】
そして、図６は、図５（ｄ）に示されている棒状化粧料繰出容器１００の先端部分を拡大した図である。図示するように、棒状化粧料６は、開口部５に谷部５ｂが備えられていることによって、山部５ａの頂点位置よりも先筒４の後端方向へ棒状化粧料６の角を使用することが出来る。つまり、より多くの棒状化粧料の角部分を使用することができることになる。
【００２９】
このように、棒状化粧料繰出容器１００の棒状化粧料６の角部分を順次使用していくことで図５（ｄ）、図６に示すように各角部分が削れてきて、棒状化粧料６の先端部分が突出し突出部６ａとなる。そして、この突出部６ａには、図示するように新に角部６ａａが形成され、さらにユーザがこの角部６ａａ使用することで、細い線を描くことができる。
【００３０】
このように、棒状化粧料６を多角形状としていることにより、棒状化粧料６には常に細い線を描くことが可能な角部分が形成され、さらに、突出部６ａの先端を使用していくことで棒状化粧料６は、先端から後端方向へ減っていき、やがて当初の棒状化粧料６の形状、つまり図５（ａ）に示した棒状化粧料６の形状となるものである。
【００３１】
ここまで説明してきた本考案に係る棒状化粧料繰出容器１００においては、その収容する棒状化粧料６を使用する場合、上述のようにして棒状化粧料６の角部分を使用していくことで、ユーザは常に細い線を描くことができる。さらに、突出部６ａを使用していくと、当初の棒状化粧料６の横断面の形状を再現することができ、シャープナー等を使って棒状化粧料６の先端を削る必要がなく手間を省くことができる。
また、細い線を描く為に芯材の芯径を細くする必要がないので、芯径の太い折れにくい棒状化粧料６とすることができる。
【００３２】
以上、本考案の実施形態について説明したが、本考案としてはこれまでに説明した実施形態に限定されるべきものではない。
［変形例］
例えば、図７に示す棒状化粧料繰出容器２００は、棒状化粧料６の横断面形状が星型形状となっており、同様に開口部５も本体筒２の先端側から見て星型形状となっている。また、開口部５の縁には、山部５ａと谷部５ｂとが交互に備えられている。そして、この山部５ａは、図７（ａ）、図７（ｂ）に示すように、棒状化粧料６の各角部ｓの間に対応した位置に先筒４の先端方向へせりだす形状となっており、谷部５ｂは、星型形状の各角部ｓに対応した位置に、先筒４の後端方向に山部５ａの頂きよりも後方に凹み形状となっているものである。また、図示は省略したが、棒状化粧料繰出容器２００に収容される棒状化粧料支持体７の支持片７ａの形状は、星型形状の棒状化粧料６を把持することが可能な形状となっている。その他の棒状化粧料繰出容器２００の構成としては、先に説明した棒状化粧料繰出容器１００と同様の構成であるので、説明は省略する。
【００３３】
また、図８に示す棒状化粧料繰出容器３００は、棒状化粧料６の横断面形状が十字型形状となっており、同様に開口部５も本体筒２の先端側から見て十字型形状となっている。また、開口部５の縁には、山部５ａと谷部５ｂとが交互に備えられている。そして、この山部５ａは、図８（ａ）、図８（ｂ）に示すように、棒状化粧料６の各端部分ｅの間に対応した位置に先筒４の先端方向へせりだす形状となっており、谷部５ｂは、十字型形状の各端部分ｅに対応した位置に、先筒４の後端方向に山部５ａの頂きよりも後方に凹み形状となっているものである。また、図示は省略したが、棒状化粧料繰出容器３００に収容される棒状化粧料支持体７の支持片７ａの形状は、十字型形状の棒状化粧料６を把持することが可能な形状となっている。その他の棒状化粧料繰出容器３００の構成としては、先に説明した棒状化粧料繰出容器１００、棒状化粧料繰出容器２００と同様の構成であるので、説明は省略する。
【００３４】
また、棒状化粧料の横断面形状としては上述した以外に、図示は省略したが、五角形形状、六角形形状などが考えられる。棒状化粧料の横断面形状がこのような形状である場合、棒状化粧料繰出容器の開口部の形状も同様に五角形形状、六角形形状となり、開口部の縁には、山部５ａと谷部５ｂとが交互に備えられる。そして、この山部５ａは、棒状化粧料６の各角部又は各端部の間に対応した位置に先筒４の先端方向へせりだす形状となっており、谷部５ｂは、棒状化粧料６の各角部分又は各端部分に対応した位置に、先筒４の後端方向に山部５ａの頂きよりも後方に凹み形状となっているものである。さらに、棒状化粧料の端を支持する棒状化粧料支持体７の支持片７ａの形状も五角形形状、六角形形状を把持することが可能な形状となる。
【００３５】
ここまで述べてきた変形例は、図１〜図６に記載の棒状化粧料繰出容器１００を用いて説明した実施例と同様の効果を奏するものである。つまり、棒状化粧料６の各角又は各端を使用して細い線が描けるとともに形成された突出部を使用していくと当初の棒状化粧料６の形状を再現することができ、シャープナー等を使って棒状化粧料６の先端を削る必要がなく手間を省くことができ、且つ、芯径を細くすることなく細い線が描けるものである。
【００３６】
また、本考案の棒状化粧料６の横断面形状は正多角形であることが好ましい。
【符号の説明】
【００３７】
１  キャップ、２  本体筒、３  操作筒、４  先筒、５  開口部、５ａ  山部、５ｂ  谷部、６  棒状化粧料、７  棒状化粧料支持体、７ａ  支持片、７ｂ  軸体部、７ｃ  雄螺子、８  螺子筒、８ａ  螺合突起部、８ｂ  鍔部、９  Ｏリング、１０  圧縮バネ、１００，２００，３００  棒状化粧料繰出容器、６ａａ，ｓ  角部、ｅ  端部
【図１】
0003151931.tif 000003
【図２】
0003151931.tif 000004
【図３】
0003151931.tif 000005
【図４】
0003151931.tif 000006
【図５】
0003151931.tif 000007
【図６】
0003151931.tif 000008
【図７】
0003151931.tif 000009
【図８】
0003151931.tif 000010